(57)【特許請求の範囲】
【請求項１】
送電線を鉄塔に引留める楔型引留クランプであって、
前記送電線を把持した２つ割れの楔が挿入され、前記楔を挟圧することにより前記送電線を把持するクランプ本体と、一対のクランプ取付金具と、前記クランプ取付金具を前記クランプ本体に取付けるクランプ本体固定ピンとを有し、
前記クランプ本体の一端の上部近傍と他端の下部近傍には、前記クランプ本体固定ピンが貫通する固定ピン貫通穴をそれぞれ有し、
前記一対のクランプ取付金具は、前記固定ピン貫通穴と同じ位置に同様の固定ピン貫通穴をそれぞれ有し、
事前に前記一対のクランプ取付金具の前記楔の挿入側端は、前記固定ピンと同様の連結板取付ピンにより一対の連結板の一端に取付けられ、
前記一対の連結板の他端は前記固定ピンと同様のコッタ接続金具取付ピンによりコッタ接続金具の一端に取付けられ、
前記コッタ接続金具の他端は、前記固定ピンと同様のコッタ取付ピンにより、前記鉄塔に牽引されたコッタに取付けられて成り、
前記クランプ本体が前記楔を介して前記送電線を把持した後、プロテクタに覆われ、前記送電線は金車を経由して、前記クランプ本体が前記鉄塔に取付られた前記一対のクランプ取付金具近傍の所定の位置に到達するまで延線され、
前記鉄塔に引留められる前記クランプ本体の一端の上部近傍の前記固定ピン貫通穴と前記クランプ本体の他端の下部近傍の前記固定ピン貫通穴とに、前記一対のクランプ取付金具の前記固定ピン貫通穴がそれぞれ位置合わせされ、各穴に前記クランプ本体固定ピンが挿入され、ＡＮナットとセルフロックピンとにより固定され、前記送電線が前記鉄塔に引留められることを特徴とする楔型引留クランプ。
【請求項２】
前記クランプ本体は矩形を成し、当該本体の幅は、前記送電線の延線に用いられる金車の溝幅以下であり、高さは、前記金車を通過できる最大高さ以下であることを特徴とする請求項１に記載の楔型引留クランプ。
【発明の詳細な説明】
【技術分野】
【０００１】
本発明は、送電線を鉄塔に引留める楔型引留クランプに係り、より詳しくは、送電線の延線時に、引留クランプの一部が送電線に取付けられて金車を通過できる楔型引留クランプに関する。
【背景技術】
【０００２】
従来の楔型引留クランプにおいて、特許文献１には、送電線の両側を挟みつける楔本体と、その楔本体が挿入されることにより送電線を挟圧し、端部に連結板取付け穴を有する円筒状のクランプ本体と、クランプ本体外周と挟圧された送電線との間にクランプ本体から送電線に向かって徐々に外形が小さくなり、クランプ本体と送電線とを包囲被覆するプロテクタとについての記載がある。
【０００３】
ところが、特許文献１のクランプ本体の連結板取付け穴は、ネジ穴構造になっており、連結板は、所定のネジをこのネジ穴にねじ込むことにより取付けられる。このようにクランプ本体を貫通したボルトネジ構造になっていないため、作業中のネジの脱落や、荷重バランスが取り難いという問題がある。
【０００４】
特許文献２には、送電線上に装着する楔と引留クランプ本体との間に、一対の押込み用アタッチメントを着脱可能とする筒状の金車通過可能な中間ピースを設け、この中間ピースが当該楔に係合し引留クランプ本体の装着部となる旨の記載がある。ところが、中間ピースの具体的な材質、形状に記載がされていないが、楔と係合し、引留クランプ本体の装着部となるためには、鉄塔上での長期使用に十分耐える必要があり、この部品の設計、製作によるコストの増大という問題がある。
【先行技術文献】
【特許文献】
【０００５】
【特許文献１】特開平３−１９０５１７号公報
【特許文献２】特開平１１−１４６５４５号公報
【発明の概要】
【発明が解決しようとする課題】
【０００６】
本発明は、このような問題を解決するためになされたものであり、その目的は、送電線の延線時に、引留クランプの一部が送電線に取付けられて金車を通過でき、且つ、ネジの脱落、及びコスト増を解消できる楔型引留クランプを提供する。
【課題を解決するための手段】
【０００７】
本発明の楔型引留クランプは、送電線を鉄塔に引留める楔型引留クランプであって、送電線を把持した２つ割れの楔が挿入され、楔を挟圧することにより送電線を把持するクランプ本体と、一対のクランプ取付金具と、クランプ取付金具をクランプ本体に取付けるクランプ本体固定ピンとを有し、クランプ本体の一端の上部近傍と他端の下部近傍には、クランプ本体固定ピンが貫通する固定ピン貫通穴をそれぞれ有し、一対のクランプ取付金具は、固定ピン貫通穴と同じ位置に同様の固定ピン貫通穴をそれぞれ有し、事前に一対のクランプ取付金具の楔の挿入側端は、固定ピンと同様の連結板取付ピンにより一対の連結板の一端に取付けられ、一対の連結板の他端は固定ピンと同様のコッタ接続金具取付ピンによりコッタ接続金具の一端に取付けられ、コッタ接続金具の他端は、固定ピンと同様のコッタ取付ピンにより、鉄塔に牽引されたコッタに取付けられて成り、クランプ本体が楔を介して送電線を把持した後、プロテクタに覆われ、送電線は金車を経由して、クランプ本体が鉄塔に取付けられた一対のクランプ取付金具近傍の所定の位置に到達するまで延線され、鉄塔に引留められるクランプ本体の一端の上部近傍の固定ピン貫通穴とクランプ本体の他端の下部近傍の固定ピン貫通穴とに、一対のクランプ取付金具の固定ピン貫通穴がそれぞれ位置合わせされ、各穴にクランプ本体固定ピンが挿入され、ＡＮナットとセルフロックピンとにより固定され、送電線が鉄塔に引留められることを特徴とする。
【０００８】
本発明の楔型引留クランプのクランプ本体は、矩形を成し、当該本体の幅は、送電線の延線に用いられる金車の溝幅以下であり、高さは、金車を通過できる最大高さ以下であることを特徴とする。
【発明の効果】
【０００９】
本発明によれば、送電線の延線時に、引留クランプの一部が送電線に取付けられて金車を通過でき、ネジの脱落が無く、荷重バランスが取り易く、且つ簡易な楔型引留クランプを提供することができる。
【図面の簡単な説明】
【００１０】
【図１】本発明による楔型引留クランプの構成図
【図２】本発明によるクランプ本体の構造図
【図３】本発明のクランプ本体の応力図
【図４】本発明の楔型引留クランプを用いた延線工法図
【発明を実施するための形態】
【実施例】
【００１１】
本発明の実施の形態について、図を用いて説明する。図１は、本発明による楔型引留クランプの構成図である。図１において、本発明の楔型引留クランプ１００は、送電線６０を把持した２つ割れの楔３０が挿入され、楔３０を挟圧することにより送電線６０を把持するクランプ本体１０と、一対のクランプ取付金具４０と、クランプ取付金具４０をクランプ本体１０に取付けるクランプ本体固定ピン２０、２５とを有している。
【００１２】
クランプ本体１０の一端の上部近傍と他端の下部近傍には、クランプ本体固定ピン２０、２５が貫通する固定ピン貫通穴１２、１４をそれぞれ有している。一対のクランプ取付金具４０は、固定ピン貫通穴１２、１４と同じ位置に同様の固定ピン貫通穴４２、４４をそれぞれ有している。
【００１３】
一対のクランプ取付金具４０の楔３０の挿入側端は、固定ピン２０、２５と同様の連結板取付ピン４６により一対の連結板４５の一端に取付けられ、一対の連結板４５の他端は固定ピン２０、２５と同様のコッタ接続金具取付ピン５２によりコッタ接続金具５０の一端に取付けられ、コッタ接続金具５０の他端は、固定ピン２０、２５と同様のコッタ取付ピン５４により、鉄塔に牽引されたコッタ（図示せず）に取付けられている。
【００１４】
図２は、本発明によるクランプ本体の構造図である。クランプ本体１０は、図２ｃに示されるように、矩形形状を成し、図２ｂに示されるように、楔３０のテーパと同一のテーパを有する溝を有している。したがって、送電線６０を把持した２つ割れの楔３０が当該溝に挿入され、押込機により楔３０が押し込まれて楔３０を挟圧することにより、送電線６０を健個に把持することができる。
【００１５】
クランプ本体１０は、図４ａに示されるようにプロテクタ７０で覆われ、図４ｂに示すように送電線６０と共に金車８０を通過する。このため、図２ｃに示す矩形形状を成すクランプ本体１０の幅Ｗは、金車８０の溝幅よりも狭く、高さＨは、クランプ本体１０がプロテクタ７０と共に金車８０を通過できる最大高さよりも低く設計されている。
【００１６】
図３は、図２ｃを拡大して本発明のクランプ本体の応力関係を示す応力図である。２つ割れの楔３０が、送電線６０を把持し、楔３０のテーパと同一のテーパを有するクランプ本体１０の溝に挿入され、且つ、押込機により楔３０が押し込まれると、送電線６０は、楔３０から矢印方向の応力を得て挟圧される。
【００１７】
楔３０は、クランプ本体１０のテーパを有する上下の溝から、矢印方向の応力を得ている。このように、クランプ本体１０の上下の部分は、楔３０が必要とする応力を供給するに十分な厚みが必要となる。一方両横の部分は、挟圧が維持されるに十分な厚みがあれば良い。このため上述したように、クランプ本体１０の幅Ｗは金車８０の溝幅以下、高さＨはクランプ本体１０がプロテクタ７０と共に金車８０を通過できる最大高さ以下に設計されればよいという自由度を有している。このため、該最大高さを通過するに十分な高さを得ることにより、より径の大きい送電線に対応できるクランプ本体１０を得ることが可能となる。
【００１８】
図４は、本発明の楔型引留クランプを用いた延線工法を示す延線工法図である。図４ａにおいて、クランプ本体１０は、楔３０を介して送電線６０を把持した後、プロテクタ７０に覆われる。図４ｂにおいて、送電線６０は、金車８０を経由して、クランプ本体１０が鉄塔に取付られた一対のクランプ取付金具４０の近傍の所定の位置に到達するまで延線される。
【００１９】
クランプ取付金具４０は、図１において説明したように、一対の連結板４５、及びコッタ接続金具を介して、事前に、鉄塔に牽引されたコッタに取付けられている。そのため、プロテクタ７０が取り除かれ、図１のクランプ本体１０の一端の上部近傍の固定ピン貫通穴１２とクランプ本体１０の他端の下部近傍の固定ピン貫通穴１４とに、一対のクランプ取付金具４０の固定ピン貫通穴４２、４４がそれぞれ位置合わせされる。次に、各貫通穴にクランプ本体固定ピン２０、２５が挿入され、ＡＮナット２１、２６とセルフロックピン２２、２７とにより固定され、送電線６０が鉄塔に引留められることにより、クランプ本体１０の取付け施工が完了する。
【００２０】
以上説明したように本発明によれば、送電線の延線時に、引留クランプのクランプ本体が送電線に取付けられて金車を通過でき、ネジの脱落が解消され、荷重バランスが取り易く、且つ、送電線の径に対応可能な簡易な楔型引留クランプを提供することができる。
【符号の説明】
【００２１】
１０  クランプ本体
１２  固定ピン貫通穴
１４  固定ピン貫通穴
２０  クランプ本体固定ピン
２１  ＡＮナット
２２  セルフロックピン
２５  クランプ本体固定ピン
２６  ＡＮナット
２７  セルフロックピン
３０  楔
４０  クランプ本体取付金具
４２  固定ピン貫通穴
４４  固定ピン貫通穴
４５  連結板
４６  連結板取付ピン
５０  コッタ接続金具
５２  コッタ接続金具取付ピン
５４  コッタ取付ピン
６０  送電線
７０  プロテクタ
８０  金車
１００  本発明の楔型引留クランプ
Ｗ  クランプ本体の幅
Ｈ  クランプ本体の高さ
【図１】
0005697035.tif 000002
【図２】
0005697035.tif 000003
【図３】
0005697035.tif 000004
【図４】
0005697035.tif 000005